(57)【特許請求の範囲】
【請求項１】
ガス放出ノズルに燃料ガスを送気する燃料ガス放出弁を持つ燃料槽と、前記燃料ガス放出弁を開駆動するガス放出レバーと、前記ガス放出ノズルからその上方の炎口に出る燃料ガスを点火する圧電ユニットと、指によって回動駆動されて前記ガス放出レバーをガス放出弁を開く方向に駆動し前記圧電ユニットを駆動する回動蓋と、を備えるガスライタにおいて、
前記回動蓋に対してその回動軌跡の接線方向である横方向に摺動可の横スライダと、前記回動蓋に枢着され上端が前記横スライダに係合し下端が、前記横スライダが前記回動蓋の点火方向の回動と同方向に駆動されるとき前記回動蓋によって上開口が開閉される本体のロック係止部に対抗して前記回動蓋の点火方向の回動を阻止するロック位置に変位し、前記横スライダが前記回動蓋の点火方向の回動と逆方向に駆動されるとき前記ロック係止部から外れて前記回動蓋の点火方向の回動を可能にするアンロック位置に変位するロック部材と、前記点火方向の回動と同方向に前記横スライダを強制する弾力部材と、を前記回動蓋に装備したことを特徴とするガスライタ。
【請求項２】
前記横スライダは前記回動蓋に横方向移動可能に保持され、前記弾力部材は一端が回動蓋で他端が横スライダで支えられた圧縮コイルスプリングであって横スライダに前記点火方向に反発力を与える、請求項１に記載のガスライタ。
【請求項３】
前記ロック部材は、前記回動蓋に枢着され上端が前記横スライダに係合し、ロック位置では下端が本体のロック係止部の係止面に対向する縦姿勢であるがアンロック位置では該下端が該係止面を外れる傾斜姿勢である、請求項１又は２に記載のガスライタ。
【発明の詳細な説明】
【技術分野】
【０００１】
本発明は、手持ちガスライタに関し、特に、人（例えば子供）が着火操作子を安易にいじることによるガス燃焼炎の発生を防止する機構を備える、いわゆる安全ガスライタ、に関する。本発明は、紙巻タバコ，葉巻などに火をつけるガスライタ（ポケットライタ）および燭台，薪，焚火の火付け材等に火をつけるガスライタ（着火具）に実施することができる。
【背景技術】
【０００２】
この種のガスライタの着火操作子は多様である。例えば着火操作子が、フリント発火機構周りあるいは放電火花により燃料ガスを点火する電極周りを覆うケース蓋の場合は、人がこのケース蓋を開くことにより、まずガス放出レバーが弁開方向に駆動されて燃料タンクのガス放出弁が開き、そしてフリント火花または電気火花（スパーク）がガスを点火する。また、着火操作子が押ボタン又はスライドボタンの場合は、人がこの押ボタンを押し下げる又は横スライドすることにより、ガス放出レバーが弁開方向に駆動されて燃料タンクのガス放出弁が開き、そして電気火花がガスを点火する（例えば特許文献１）。
【先行技術文献】
【特許文献】
【０００３】
【特許文献１】特開２００４−１１６８４９号公報
【発明の概要】
【発明が解決しようとする課題】
【０００４】
幼児あるいは年少者が、父親など身近な人のガスライタ使用を真似してガスライタをいじって、思わぬガス燃焼炎の発生により、やけどをしあるいは火災を発生することがある。このような事故を防ぐために、着火操作子が単純操作では着火移動しないように、ロック機構を設けることが推奨されている。特許文献１のガスライタは、押ボタンロック機構を備えて、押ボタンを横スライド（アンロック操作）することにより押ボタンをアンロック位置にしてからでないと、着火のための押下（着火操作）ができないようにしている。すなわち、縦押し込みにより圧電ユニットの摺動子を押し下げるとともに弁操作レバーの自由端を押し下げる着火操作子に、横方向に摺動可能なロックスライダ（押しボタン）を備える。ロックスライダを右駆動するとライタ本体側の突起からロックスライダが外れて降下可となり、ロックスライダを押し下げると着火操作子が押し下げられて、ノズルから燃料ガスが噴出し圧電ユニットが高電圧を発生しこれによって発生するスパークによって燃料ガスが着火する。
【０００５】
ところで、特許文献１の押ボタンロック機構はロックスライダを右駆動することによりロックが外れ続いて押し下げることにより炎を生じる。すなわちロックスライダの横右方向駆動と縦方向押下により炎を発生することができる。ロック解除のための駆動と炎を発生するための駆動が直交方向である。したがってこの押ボタンロック機構を、回動蓋の時計方向の回動によって圧電ユニットの摺動子を押し下げるとともに弁操作レバーの自由端を押し下げるガスライタに適用しようとしても、回動が横右方向移動と縦方向移動を含むのでロックスライダは回動操作によりロック解除となり、着火操作（回動駆動）に対してロック機能が脆弱になる。
【０００６】
本発明は、回動蓋の回動によって圧電ユニットの摺動子を押し下げるとともに弁操作レバーを駆動するガスライタに、回動ロック機構を備えることを目的とする。
【課題を解決するための手段】
【０００７】
（１）ガス放出ノズル(1)に燃料ガスを送気する燃料ガス放出弁を持つ燃料槽(2)と、前記燃料ガス放出弁を開駆動するガス放出レバー(3)と、前記ガス放出ノズル(1)からその上方の炎口(4a)に出る燃料ガスを点火する圧電ユニット(5)と、指によって回動駆動されて前記ガス放出レバー(3)をガス放出弁を開く方向に駆動し前記圧電ユニット(5)を駆動する回動蓋(6)と、を備えるガスライタにおいて、
前記回動蓋(6)に対してその回動軌跡の接線方向である横方向に摺動可の横スライダ(7)と、前記回動蓋(6)に枢着され上端が前記横スライダ(6)に係合し下端が、前記横スライダ(7)が前記回動蓋(6)の点火方向の回動と同方向に駆動されるとき前記回動蓋(6)によって上開口が開閉される本体のロック係止部(4c)に対抗して前記回動蓋(6)の点火方向の回動を阻止するロック位置に変位し、前記横スライダ(7)が前記回動蓋(6)の点火方向の回動と逆方向に駆動されるとき前記ロック係止部(4c)から外れて前記回動蓋(6)の点火方向の回動を可能にするアンロック位置に変位するロック部材(8a)と、前記点火方向の回動と同方向に前記横スライダ(7)を強制する弾力部材(8b)と、を前記回動蓋(6)に装備したことを特徴とするガスライタ。
【０００８】
なお、理解を容易にするために括弧内には、図面に示し後述する実施例の対応要素又は相当要素の記号を、例示として参考までに付記した。以下も同様である。
【発明の効果】
【０００９】
使用者が、前記横スライダ(7)を前記回動蓋(6)の前記点火方向の回動とは逆方向に横駆動すると、前記ロック部材(8a)がアンロック位置に変位する（図２）。この状態を維持して使用者が横スライダ(7)を縦方向に押し下げると横スライダ(7)とともに回動蓋(6)が回動して燃料ガス放出弁を開き圧電ユニット(5)を駆動する。これにより、ノズル(1)から噴出する燃料ガスが着火し燃焼炎(10)が発生する（図３）。使用者が横スライダ(7)から指を離すと、横スライダ(7)が前記弾力部材(8b)の反発力で横移動して元位置に戻りこれによってロック部材(8a)がロック位置に変位するとともに、回動蓋(6)が圧電ユニット内部のコイルばねの反発力で上駆動されて逆方向に回動し本体の上開口を塞ぐ（図１）。
【００１０】
人（例えば幼児又は年少者）が、横スライダ(7)を逆方向（図１）に横スライドすることなく、横スライダ(7)を押し下げあるいは点火方向に回動しようとしても、ロック部材(8a)がロック位置にあるので、回動蓋(6)は回動せず、炎は発生しない。したがって不用意な操作に対する安全性が高い。
【図面の簡単な説明】
【００１１】
【図１】本発明の１実施例のガスライタの、非使用状態を示す縦断面図である。
【図２】図１に示すガスライタの、横スライダ７を図１に示す逆方向に横駆動してロック部材８ａをアンロック位置に駆動した状態を示す縦断面図である。
【図３】図１に示すガスライタの、回動蓋(6)を回動駆動して炎１０を発生させた状態を示す縦断面図である。
【発明を実施するための形態】
【００１２】
（２）前記横スライダ(7)は前記回動蓋(6)に横方向移動可能に保持され、前記弾力部材(8b)は一端が回動蓋(6)で他端が横スライダ(7)で支えられた圧縮コイルスプリングであって横スライダ(7)に前記点火方向に反発力を与える、上記（１）に記載のガスライタ。
【００１３】
（３）前記ロック部材(8a)は、前記回動蓋(6)に枢着され上端が前記横スライダ(7)に係合し、ロック位置では下端が本体のロック係止部(4c)の係止面に対向する縦姿勢であるがアンロック位置では該下端が該係止面を外れる傾斜姿勢である、上記（１）又は（２）に記載のガスライタ。
【００１４】
本発明の他の目的および特徴は、図面を参照した以下の実施例の説明より明らかになろう。
【実施例】
【００１５】
図１に示す１実施例のガスライタには、液化燃料槽２があり、その内部には、燃料ガス放出ノズル１に燃焼ガスを送気する常閉弁である燃料ガス放出弁があり、ノズル１が上方に引き上げられると、燃料ガス放出弁が弁開となって、液化燃料槽２内にある液化燃料の一部が気化してノズル１の上端から上方に出る。火口（炎口）がある上枠４および回動蓋であって使用者が着火操作する操作子でもある上蓋６は、液化燃料槽２と一体で起立した支幹を水平に貫通するピン６ａで、一体に連結されている。圧電ユニット５の一対の高電圧出力端の一方にノズル１が電気的に繋がり、他方に接続した電気リードの先端が放電電極でありノズル１の先端に対向している。圧電ユニット５が高電圧を発生すると、放電電極／ノズル１間に電気火花（放電スパーク）が発生する。
【００１６】
ガス放出レバー３の先端がノズル１の下端に係合しており、ガス放出レバー３の尾端を時計方向に廻すことにより、ガス放出レバー３の尾端がてこの原理で回動して、ガス放出レバー３の先端がノズル１を上方に押し上げ、これにより燃料槽２内の燃料ガス放出弁が開き、燃料槽２内の液化燃料が気化してノズル１を通って外気に流出する。
【００１７】
圧電ユニット５の頭部のスライダを上蓋６の支幹６ｂが押し下げると、該スライダがある程度降下するとガス放出レバー３を時計回りに回動駆動するので、液化燃料槽２の燃料ガス放出弁が開いて、ノズル１から燃料ガスが流出する。更にスライダが降下すると、圧電ユニット５内において、圧電素子がプランジャで打撃されて高電圧を発生し、放電電極／ノズル１間に該高電圧が加わって、放電電極／ノズル１間に電気火花が発生し、ノズル１から流出している燃料ガスが該電気火花で点火され、上枠４の炎口４ａから、ローソクの炎のような炎（図３の１０）が発生する。
【００１８】
操作子である上蓋６の支幹６ｂは、ピン６ａを中心に回動可であり、上蓋６の時計廻りの回動（点火方向の回動）によって、圧電ユニット５の頭部のスライダが押し下げられる。
【００１９】
上蓋６には、安全機構が装着されている。該安全機構は本実施例では、横スライダ７，圧縮コイルスプリング８ｂ，本体にある上枠４に設けたロック係止部４ｃおよびロック部材８ａで構成されている。横スライダ７は、ピン６ａを中心とする上蓋６の回動軌跡の接線方向である横方向にスライド可能にして上蓋６で保持されている。圧縮コイルスプリング８ｂは、その反発力で、上蓋６に対して横スライダ７を右方向（上蓋６の、点火する方向の回動方向）に駆動する。ロック部材８ａは、上蓋６の右端部に枢着されその上端が横スライダ６の右端に係合している。圧縮コイルスプリング８ｂの反発力で横スライダ７が最右端に押されている状態（図１）では、ロック部材８ａは垂直姿勢であって、その下端がロック係止部４ｃの水平上面に対向し、ロック部材８ａの下端の降下はロック係止部４ｃで阻止される。したがって上蓋６を点火方向の回動方向である時計方向に回動駆動しようとしても、回動時の垂直方向移動がロック係止部４ｃで阻止されて上蓋６の回動が阻止される。これがロック状態である。
【００２０】
ロック状態で使用者が横スライダ７を反時計方向（逆方向）にスライドさせると、これによってロック係止部４ｃが反時計方向に回動しその下端がロック係止部４ｃの水平上面よりも右側に外れて（図２）、上蓋６が時計方向に回動可となる。これがアンロック状態である。
【００２１】
使用者が上記アンロック状態で横スライダ７を縦方向に押し下げるあるいは時計方向に回動させると、横スライダ７とともに上蓋６が回動して燃料ガス放出弁を開き圧電ユニット５を駆動する。これにより、ノズル１から噴出する燃料ガスが着火して、燃焼炎１０が炎口４ａの上部に発生する（図３）。使用者が横スライダ７から指を離すと、横スライダ７が圧縮コイルスプリングの反発力で横移動して元位置に戻りこれによってロック部材８ａが縦姿勢に戻るとともに、回動蓋(6)が圧電ユニット内部のコイルばねの反発力で上駆動されて逆方向に回動し本体の上開口を塞ぐ。ロック部材８ａは縦姿勢でその下端がロック係止部４ｃの水平上面に対向するロック位置となる（図１）。
【００２２】
人例えば幼児又は年少者が、横スライダ７を時計方向（右方向）にスライド又は回動しようとしても、ロック部材８ａの下端がロック係止部４ｃの水平上面にあたって上蓋６の回動が阻止され、上蓋６は開かない。したがって不用意な操作に対する安全性が高い。
【符号の説明】
【００２３】
１：ノズル
２：液化燃料槽
３：ガス放出レバー
４：上枠
４ａ：炎口
５：圧電ユニット
６：上蓋
６ａ：ピン
７：横スライダ
８ａ：ロック部材
８ｂ：圧縮コイルスプリング
１０：燃焼ガス炎
【図１】
0005164185.tif 000002
【図２】
0005164185.tif 000003
【図３】
0005164185.tif 000004